(57)【要約】【課題】ハードディスク、ＤＶＤ等の記録媒体に記録されている再生データに基づいて映像及び音声を再生する再生装置において、記録媒体の記録領域を効率的に利用することが可能な再生装置を提供する。【解決手段】再生装置１は、記録媒体１０に記録されている再生データに基づき映像及び音声を再生し、再生後の再生データを記録媒体１０から消去し、揮発性記録手段１３に退避させる。揮発性記録手段１３に退避させた再生データは、所定の操作を行った場合に記録媒体１０に復帰させることが可能であり、また所定の消去条件を満足した場合に、揮発性記録手段１３から再生データを消去する。【選択図】図１
2007115343.tif 000002
【特許請求の範囲】
【請求項１】
記録されているデータを消去することが可能な記録媒体に記録されている再生データに基づき映像及び／又は音声を再生する再生装置において、
再生データに基づく再生が完了した場合に、再生後の再生データを記録媒体から消去する消去手段を備えることを特徴とする再生装置。
【請求項２】
再生データを退避させる退避用の記録手段を更に備え、
前記消去手段は、再生データを退避用の記録手段に退避させた後、消去する様に構成してある
ことを特徴とする請求項１に記載の再生装置。
【請求項３】
前記記録手段に退避させた再生データを前記記録媒体に復帰させる操作を受け付ける手段と、
受け付けた操作に基づき前記記録手段に退避させた再生データを前記記録媒体に復帰させる手段と
を更に備えることを特徴とする請求項２に記載の再生装置。
【請求項４】
所定の消去条件を満足した場合に前記記録手段に退避させた再生データを消去する手段を更に備えることを特徴とする請求項２又は請求項３に記載の再生装置。
【請求項５】
前記消去条件は、自らの稼働状態の変化、退避後の経過時間、退避させた再生データのデータ量、又は他の再生データの再生であることを特徴とする請求項４に記載の再生装置。
【請求項６】
前記再生データは、連続して再生される複数の単位再生データを含んでおり、
前記消去手段は、再生した単位再生データを消去する様に構成してある
ことを特徴とする請求項１乃至請求項５のいずれかひとつに記載の再生装置。
【発明の詳細な説明】
【技術分野】
【０００１】
本発明は、ハードディスク等の記録媒体に記録されている再生データに基づき映像及び／又は音声を再生する再生装置に関し、特に記録媒体の記録領域を効率的に利用することが可能な再生装置に関する。
【背景技術】
【０００２】
ハードディスク、ＤＶＤ（Digital Versatile Disc）、半導体メモリ等の記録媒体に記録されている映像データ、音声データ等の再生データに基づいて映像及び音声を再生するハードディスクレコーダ、ＤＶＤプレイヤ、各種記録再生装置等の再生装置が普及している。記録媒体に記録される再生データは一般的にデータ量が大きいため、記録媒体の記録領域を効率的に利用することが普遍的な課題として存在している。
【０００３】
例えば特許文献１には、放送番組を周期的に繰り返し上書きすることで記録領域を効率的に利用する方法が記載されている。
【特許文献１】特開２００４−２１３８３４号公報
【発明の開示】
【発明が解決しようとする課題】
【０００４】
しかしながら記録媒体の記録領域を効率的に利用するためには、再生を完了して不要となった再生データを消去していくという操作が必要となるため、操作の手間、操作忘れ、操作間違い等の操作に関する様々な問題がある。特許文献１では、周期的に繰り返される放送番組のみを対象としたものであるため、周期的に繰り返される放送番組以外に適用することはできない。
【０００５】
本発明は斯かる事情に鑑みてなされたものであり、再生した再生データを記録媒体から自動的に消去することにより、操作性に関する問題が無く、また適用される再生データを制限することなく記録媒体の記録領域を効率的に利用することが可能な再生装置の提供を目的とする。
【課題を解決するための手段】
【０００６】
本発明に係る再生装置は、記録されているデータを消去することが可能な記録媒体に記録されている再生データに基づき映像及び／又は音声を再生する再生装置において、再生データに基づく再生が完了した場合に、再生後の再生データを記録媒体から消去する消去手段を備えることを特徴とする。
【０００７】
本発明では、記録媒体の記録領域を効率的に利用することが可能である。
【０００８】
本発明に係る再生装置は、再生データを退避させる退避用の記録手段を更に備え、前記消去手段は、再生データを退避用の記録手段に退避させた後、消去する様に構成してあることを特徴とする。
【０００９】
本発明では、記録媒体から消去した再生データを完全に削除するのではなく、記録手段に退避させることにより、必要に応じて復帰させることが可能である。
【００１０】
本発明に係る再生装置は、前記記録手段に退避させた再生データを前記記録媒体に復帰させる操作を受け付ける手段と、受け付けた操作に基づき前記記録手段に退避させた再生データを前記記録媒体に復帰させる手段とを更に備えることを特徴とする。
【００１１】
本発明では、ユーザが所定の操作を行った場合に再生データを復帰させることができるので、ユーザの意思により、記録しておきたい再生データを記録媒体に再記録し、保存することが可能である。
【００１２】
本発明に係る再生装置は、所定の消去条件を満足した場合に前記記録手段に退避させた再生データを消去する手段を更に備えることを特徴とする。
【００１３】
本発明では、退避させた再生データを消去することにより、記録手段の記録領域を効率的に利用することが可能である。
【００１４】
本発明に係る再生装置は、前記消去条件は、自らの稼働状態の変化、退避後の経過時間、退避させた再生データのデータ量、又は他の再生データの再生であることを特徴とする。
【００１５】
本発明では、消去条件を満足した場合に自動的に消去することにより、ユーザが特定の操作を行わずとも、再生データを自動的に消去することが可能である。
【００１６】
本発明に係る再生装置は、前記再生データは、連続して再生される複数の単位再生データを含んでおり、前記消去手段は、再生した単位再生データを消去する様に構成してあることを特徴とする。
【００１７】
本発明では、再生データを再生した箇所から消去するため、記録手段の記録領域を効率的に利用することが可能である。
【発明の効果】
【００１８】
本発明の再生装置は、ハードディスク等の記録媒体に記録されている再生データに基づき映像及び／又は音声を再生し、再生後の再生データを記録媒体から消去し、記録手段に退避させる。記録手段に退避させた再生データは、所定の操作を行った場合に記録媒体に復帰させることが可能であり、また所定の消去条件を満足した場合に、再生データは記録手段から消去される。
【００１９】
この構成により、本発明では、再生後の再生データが自動的に消去されるので、記録媒体の記録容量を効率的に利用することが可能である等、優れた効果を奏する。しかも再生データの消去に操作を要しないため操作性に関する問題が無く、また周期的に繰り返し放送される放送番組以外の再生データに対しても適用することが可能である。
【００２０】
また本発明では、記録媒体から消去した再生データを必要に応じて復帰させることが可能である等、優れた効果を奏する。
【００２１】
さらに本発明では、再生が完了した再生データを消去することにより、記録媒体に記録された再生データに基づく再生の回数を制限することで著作物を保護することが可能である等、優れた効果を奏する。
【発明を実施するための最良の形態】
【００２２】
以下、本発明をその実施の形態を示す図面に基づいて詳述する。図１は、本発明の再生装置の構成例を示すブロック図である。図１中１は、ハードディスクレコーダ、ＤＶＤプレイヤ等の再生装置であり、再生装置１は、内蔵された又は挿抜可能なハードディスク、ＤＶＤ等の記録媒体１０を備え、記録媒体１０に記録されている再生データに基づいて映像及び音声の再生を行う。なお再生装置１は、デジタルビデオカメラ、ＩＣレコーダ等の携帯型の装置であっても良く、また記録媒体１０は、携帯型の装置に用いられる半導体メモリ等のメディアであっても良い。
【００２３】
再生装置１は、装置全体を制御するＣＰＵ（Central Processing Unit ）等の制御手段１１、制御手段１１の制御に要する各種プログラム及びデータを記録する不揮発性記録手段１２、再生データの退避に用いられるＤＲＡＭ等の揮発性記録手段１３、記録媒体１０にアクセスして記録媒体１０に対する再生データの読み取り、書き込み及び消去を行うアクセス手段１４、アクセス手段１４により読み取った再生データに基づく映像を出力する表示手段１５及び音声を出力する音声出力手段１６、ユーザによる各種操作を受け付ける操作手段１７、並びに記録媒体１０に再生データを記録すべく音声及び映像を取得するチューナ、マイク、カメラ、コネクタ等の取得手段１８を備えている。
【００２４】
記録媒体１０は、データの記録及び消去が可能な記録領域を有しており、記録領域中の各記録位置にはアドレスが付され、記録されているデータはアドレスにより特定することができる。また記録媒体１０に記録されている再生データは、夫々数ミリ秒分の再生に用いられる複数の単位再生データを含んでおり、単位再生データを所定の順序で連続して再生することにより、映像及び音声が再生される。
【００２５】
次に本発明の再生装置１の各種処理を説明する。以降に説明する再生装置１は、本発明の再生装置の機能のひとつである自動消去モードで稼働している。図２は、本発明の再生装置１の再生処理の一例を示すフローチャートである。再生装置１は、制御手段１１の制御により、記録媒体１０に記録されている再生データをアクセス手段１４にて読み取り、読み取った再生データに基づき映像及び音声を再生し（Ｓ１０１）、再生後の再生データ及び該再生データが記録されていた記録媒体１０の記録位置を示すアドレスを揮発性記録手段１３に退避（記録）させる（Ｓ１０２）。ステップＳ１０２における再生データの退避は単位再生データの単位で行われる。
【００２６】
図３は、本発明の再生装置１の再生データ消去処理の一例を示すフローチャートである。再生データの再生の途中停止等の再生を停止する操作、再生の終了等の再生停止イベントが発生した再生装置１では、記録媒体１０の再生データを消去する再生データ消去処理を実行する。再生装置１は、制御手段１１の制御により、再生を停止する操作の受け付け、再生を終了する処理等の再生データの再生停止イベントの発生を検出し（Ｓ２０１）、記録媒体１０に記録され再生していた再生データ中、再生後の再生データを記録媒体１０から消去する（Ｓ２０２）。ステップＳ２０２における再生データの消去は、再生が終了した単位再生データの単位で消去する。このため途中で再生を停止した場合、次の再生は既に再生させた時点以降から開始される。なお再生停止イベントの検出を行わず、単位再生データの再生が終了する都度、消去する様にしても良い。
【００２７】
図４は、本発明の再生装置１の復帰処理の一例を示すフローチャートである。再生装置１を操作するユーザは所定の操作を行うことにより、揮発性記録手段１３に退避させた再生データを記録媒体１０に復帰させることができる。再生装置１は、制御手段１１の制御により、操作手段１７から操作を受け付け（Ｓ３０１）、受け付けた操作に基づき揮発性記録手段１３に退避（記録）させた再生データ及びアドレスを読み取り（Ｓ３０２）、読み取った再生データを、読み取ったアドレスが示す記録媒体１０の記録位置へ復帰（記録）させる（Ｓ３０３）。
【００２８】
図５は、本発明の再生装置１の退避再生データ消去処理の一例を示すフローチャートである。再生装置１は、制御手段１１の制御により、所定の消去条件を満足した場合（Ｓ４０１）、揮発性記録手段１３に退避させた再生データを揮発性記録手段１３から消去する（Ｓ４０２）。ステップＳ４０２における消去条件とは、例えばモードの切替、電源の停止等の自らの稼働状態が変化した場合、退避後の経過時間が所定時間に到達した場合、退避させた再生データのデータ量が所定の上限値に到達した場合、他の再生データの再生の開始等の条件である。
【００２９】
前記実施の形態では、再生データを揮発性記録手段に退避させて記録媒体から消去する形態を示したが、本発明はこれに限らず、退避データを揮発性記録手段に退避させずに消去する様にしても良く、また記録媒体から消去するのではなく上書き可能な状態として実質的には記録しているデータ量を削減しながらも容易に復帰することができるようにしても良く、さらには不揮発性記録手段に再生データを退避する様にしても良い等、様々な形態に展開することが可能である。
【図面の簡単な説明】
【００３０】
【図１】本発明の再生装置の構成例を示すブロック図である。
【図２】本発明の再生装置の再生処理の一例を示すフローチャートである。
【図３】本発明の再生装置の再生データ消去処理の一例を示すフローチャートである。
【図４】本発明の再生装置の復帰処理の一例を示すフローチャートである。
【図５】本発明の再生装置の退避再生データ消去処理の一例を示すフローチャートである。
【符号の説明】
【００３１】
１  再生装置
１０  記録媒体
１３  揮発性記録手段
【図１】
2007115343.tif 000003
【図２】
2007115343.tif 000004
【図３】
2007115343.tif 000005
【図４】
2007115343.tif 000006
【図５】
2007115343.tif 000007